(57)【要約】　　　（修正有）【課題】盗難防止撮影装置の提供。【解決手段】メインコントローラー１０、無線リモートコントロール発射器２０、赤外線プローブ３０、照明ランプ４０、警報器５０、電磁石６０、カメラ７０、直流安定電圧電源８０、蓄電池９０で組成され、メインコントローラーが赤外線プローブの信号を受け取ることにより照明ランプ、警報器、電磁石の動作を制御し、人の警戒範囲への侵入が確定した時、照明ランプ、警報器を起動して基本の盗難防止効果を達成するほか、電磁石でカメラのシャッターをトリガし、警戒範囲に侵入した人の画像を即時撮影して後日の警察による捜査に供する。【選択図】　　図１
0003099860.tif 000002
【実用新案登録請求の範囲】
【請求項１】
　メインコントローラー、無線リモートコントロール発射器、赤外線プローブ、照明ランプ、警報器、電磁石、カメラ、直流安定電圧電源、蓄電池で組成され、メインコントローラーが赤外線プローブの信号を受け取ることにより照明ランプ、警報器、電磁石の動作を制御し、人の警戒範囲への侵入が確定した時、照明ランプ、警報器を起動して基本の盗難防止効果を達成するほか、電磁石でカメラのシャッターをトリガし、警戒範囲に侵入した人の画像を即時撮影して後日の警察による捜査に供することを特徴とする、盗難防止撮影装置。
【請求項２】
　請求項１記載の盗難防止撮影装置において、メインコントローラーにあって無線リモートコントロール受信モジュールと複数のスイッチ回路が整合され、無線リモートコントロール受信モジュールが無線リモートコントロール発射器の発射した設定、起動信号を受け取り、並びに各スイッチ回路が赤外線プローブ、照明ランプ、警報器、電磁石の回路に接続されることにより、メインコントローラーが赤外線プローブの信号を受け取り、これにより照明ランプ、警報器、電磁石の動作を制御することを特徴とする、盗難防止撮影装置。
【考案の詳細な説明】
【技術分野】
【０００１】
　本考案は一種の盗難防止撮影装置に係り、特に価格が安く自動撮影機能を具え、盗難防止装置の基本の盗難防止効果を達成するほか、警戒範囲に侵入した人の画像を即時撮影して後日の警察による捜査に供する盗難防止撮影装置に関する。
【背景技術】
【０００２】
　現在の社会にあって、治安問題は人々が一番に関心を寄せる問題である。特に窃盗犯罪は企業或いは家庭に巨大な損害を与えるほか、警察の仕事の負担を増す。技術的な手段により窃盗犯罪を防止し、打撃を与えることは有効な方法である。
【０００３】
　このため各種の盗難防止装置が提供されているが、未だ企業或いは家庭で十分に広く使用されているとはいえず、このような盗難防止装置の作用を十分に発揮するに至っていない。その原因は、認識上の問題のほか、盗難防止装置の実際の機能が社会の要求に適応していないことにある。例えば、銀行、大型スーパー、倉庫で採用される撮影、警報、音声モニター更にはセルフロック機能の盗難防止システムは、性能は良くとも価格が高く、一般の企業、家庭では採用できない。
【０００４】
　さらに価格が比較的低い盗難防止装置は往々にして単一機能、即ち警報機能しかなく、証拠の採取が行なえず、一旦犯人の威嚇に失敗すると、財産が盗まれ、警察に証拠を提供することもできない。このため単一機能の盗難防止装置は価格が安く市場で優勢であっても、実用性の面で実際の使用の要求を満足できない。
【考案の開示】
【考案が解決しようとする課題】
【０００５】
　本考案は一種の盗難防止撮影装置を提供することを課題とし、それは、メインコントローラー、無線リモートコントロール発射器、赤外線プローブ、照明ランプ、警報器、電磁石、カメラ、直流安定電圧電源、蓄電池を具え、構造が簡単で、製造コストが低い盗難防止装置であるものとする。
【０００６】
　特に、メインコントローラーが赤外線プローブの信号を受け取ることで照明ランプ、警報器、電磁石の動作を制御し、人の警戒範囲への侵入が確定した時、照明ランプ、警報器を起動して基本の盗難防止効果を達成するほか、電磁石でカメラのシャッターをトリガし、警戒範囲に侵入した人の画像を即時撮影して後日の警察による捜査に供する。
【課題を解決するための手段】
【０００７】
　請求項１の考案は、メインコントローラー、無線リモートコントロール発射器、赤外線プローブ、照明ランプ、警報器、電磁石、カメラ、直流安定電圧電源、蓄電池で組成され、メインコントローラーが赤外線プローブの信号を受け取ることにより照明ランプ、警報器、電磁石の動作を制御し、人の警戒範囲への侵入が確定した時、照明ランプ、警報器を起動して基本の盗難防止効果を達成するほか、電磁石でカメラのシャッターをトリガし、警戒範囲に侵入した人の画像を即時撮影して後日の警察による捜査に供することを特徴とする、盗難防止撮影装置としている。
　請求項２の考案は、請求項１記載の盗難防止撮影装置において、メインコントローラーにあって無線リモートコントロール受信モジュールと複数のスイッチ回路が整合され、無線リモートコントロール受信モジュールが無線リモートコントロール発射器の発射した設定、起動信号を受け取り、並びに各スイッチ回路が赤外線プローブ、照明ランプ、警報器、電磁石の回路に接続されることにより、メインコントローラーが赤外線プローブの信号を受け取り、これにより照明ランプ、警報器、電磁石の動作を制御することを特徴とする、盗難防止撮影装置としている。
【考案の効果】
【０００８】
　本考案は以下のような長所を有している。
１．赤外線プローブ、照明ランプ、警報器、カメラ等の部分がメインコントローラーと分離した方式が採用されたことにより、盗難防止撮影装置の部品を隠して取り付けることができ、また、部品の交換及び機能の拡張にも便利である。
２．盗難防止撮影装置が手動方式で無線リモートコントロール発射器を制御して自動撮影と警報機能を起動する。
３．直流安定電圧電源と小型のメンテナンスフリーの蓄電池の連合電力供給方式により、平常は直流安定電圧電源で電力を供給し、蓄電池はゆっくりと充電される状態とされる。一旦直流安定電圧電源がなにかの原因で切断されると、蓄電池が自動的に電力供給状態となり、盗難防止撮影装置の作業の中断を防止する。
４．照明ランプが交流２２０Ｖ、１００Ｗ程度の普通の白熱灯とされ、盗難防止装置の自動撮影時の照度要求を満足させるほか、前述の撮影機能オフ後に夜間自動照明ランプとして使用される。
５．フレネルレンズを具備する赤外線プローブの感度は非常に高く、人体の発生する微量な赤外線を検出でき、並びに運動する物体及び非生命体の赤外線を区別できる。それはセンサとされて有効に盗難防止装置の誤動作を防止できる。
【０００９】
　このほか、全体の盗難防止撮影装置の動作部分とメインコントローラーが分離した構造であり、メインコントローラーの回路設計には三路の出力（照明ランプ、電磁石、警報器）があり、このためその機能を拡充しやすい。複数の赤外線プローブを設ければメインコントローラーのモニタリング範囲を拡張でき、また、複数の電磁石をメインコントローラーに接続すれば、同時に複数のカメラで異なる方向の撮影を行なうことができ、また、メインコントローラーの警報器出力端に無線リモートコントロール発射モジュールを設け、別の部分に無線リモートコントロール受信警報装置を設ければ、現場での撮影、警報と同時に、異なる場所で警報を発生し、及びメインコントローラーで電磁石を制御してその出力でカメラを制御するようにすれば、自動撮影、警報の盗難防止機能を実現でき、さらに照明ランプ制御端を電話機内部回路に接続すれば、電話により自動ダイアル警報が実現する。
【００１０】
　本考案中のメインコントローラーは使用者の要求により、排気センサ、煙センサ、有線ドアセンサ、振動センサ、タッチセンサ等に接続でき、これにより各種の特殊警報機能を実現できる。
【００１１】
　本考案の盗難防止撮影装置は価格が低く且つ自動撮影機能を具えた盗難防止装置であり、盗難防止装置が警報機能を発揮すると共に、警戒範囲に侵入した人の画像を撮影して証拠として保存し、後日の警察による捜査に供することができる。なお、本考案の実施例は本考案の実施範囲を限定するものではなく、本考案に基づきなしうる細部の修飾或いは改変は、いずれも本考案の請求範囲に属するものとする。
【考案を実施するための最良の形態】
【００１２】
　本考案の盗難防止撮影装置の全体の盗難防止の基本構造組成及び運転方式は図１に示されるようであり、それはメインコントローラー１０、無線リモートコントロール発射器２０、赤外線プローブ３０、照明ランプ４０、警報器５０、電磁石６０、カメラ７０、直流安定電圧電源８０、蓄電池９０で組成されている。
【００１３】
　図２も共に参照されたい。そのうち、メインコントローラー１０にあって無線リモートコントロール受信モジュール１１及び複数のスイッチ回路１２が整合され、無線リモートコントロール受信モジュール１１が無線リモートコントロール発射器２０の発射する設定、起動信号を受け取り、並びに各スイッチ回路１２が赤外線プローブ３０、照明ランプ４０、警報器５０、電磁石６０の回路と接続されることにより、メインコントローラー１０が赤外線プローブ３０の信号を受け取り、これにより照明ランプ４０、警報器５０、電磁石６０の動作を制御し、人の警戒範囲への侵入が確定した時、照明ランプ４０、警報器５０を起動して基本の盗難防止効果を達成するほか、電磁石６０でカメラ７０のシャッターをトリガし、警戒範囲に侵入した人の画像を即時撮影して後日の警察による捜査に供する。
【００１４】
　全体の盗難防止撮影装置の実際に運転状況にあって、手動方式で電源をオンすると赤外線プローブ３０の初期化過程に進入し、約１５秒後に正常な監視状態に進入する。これと同時に、警報器５０に接続されたスイッチ回路１２が遅延過程に進入し、約９０秒後に赤外線プローブ３０と接続されたスイッチ回路１２を制御信号が通過する。
【００１５】
　警報器５０と接続されたスイッチ回路１２の遅延過程は一方で赤外線プローブ３０の初期化期間に盗難防止撮影装置が誤動作を発生するのを防止し、また一方で、盗難防止撮影装置の使用者が一定時間の後に現場を離れられるようにする。
【００１６】
　盗難防止撮影装置の準備が終わると、赤外線プローブ３０の前方の有効距離の扇形区域（盗難防止警戒区域）内に人が出現すると、赤外線プローブ３０が人体の発生する微弱な赤外線信号をモニタリングして電気信号に変換し、並びに内部回路で増幅した後にそれに接続されたスイッチ回路１２に伝送し、並びにそれと接続された照明ランプ４０の電源をオンとし、並びに制御電気信号を警報器５０に接続されたスイッチ回路１２に送り、これにより赤外線プローブ３０に接続されたスイッチ回路１２の制御信号が順調に警報器５０を通過し並びに電磁石６０に接続されたスイッチ回路１２を起動し、こうして電磁石６０カメラ７０のシャッターを駆動し、カメラ７０が盗難防止撮影装置の警戒区域の撮影を行なう。
【００１７】
　また、電磁石６０に接続されたスイッチ回路１２は制御信号の通過と同時に遅延状態に進入し、約１０秒後に電磁石６０への制御信号を開通させる。こうして照明、撮影、警報の一連の盗難防止動作を完成する。
【００１８】
　さらに、赤外線プローブ３０は赤外線信号存続期間及びその後のある短い時間内に、それと接続されたスイッチ回路１２に制御信号を発生する。対応する時間内に照明ランプ４０はずっと点灯し、警報器５０は鳴り続け、電磁石６０と接続されたスイッチ回路１２の作用下で、電磁石６０はカメラ７０のシャッターを一回だけ駆動し、電磁石６０通電後の過熱を防止する。
【００１９】
　このほか、無線リモートコントロール発射器２０は無線リモートコントロール受信モジュール１１を制御してそれと接続された別の二組のスイッチ回路１２に向けてラッチと非ラッチの制御信号を発生させ、そのうちの一つのスイッチ回路１２が赤外線プローブ３０と接続されたスイッチ回路１２を制御する。
【００２０】
　及び、リモートコントロール方式で撮影と警報機能をオフとした後、盗難防止撮影装置は使用者が手動で盗難防止撮影装置の電源をオフするまで自動照明機能を保留する。無線リモートコントロール受信モジュール１１と接続されたもう一つのスイッチ回路１２は小型スピーカー１３を駆動し、無線リモートコントロール発射器２０の命令により提示音を発生させる。
【００２１】
　特に、リモートコントロール方式で撮影と警報機能をオフした後に再度照明ランプ４０に接続されたスイッチ回路１２をオンし、更に９０秒経過後に赤外線プローブ３０に接続されたスイッチ回路１２の制御信号を通過させる。
【図面の簡単な説明】
【００２２】
【図１】本考案の盗難防止撮影装置の基本構造表示図である。
【図２】本考案の動作原理ブロック図である。
【符号の説明】
【００２３】
１０　メインコントローラー　　　　　　　　　　　４０　照明ランプ
１１　無線リモートコントロール受信モジュール　　５０　警報器
１２　スイッチ回路　　　　　　　　　　　　　　　６０　電磁石
２０　無線リモートコントロール発射器　　　　　　７０　カメラ
３０　赤外線プローブ　　　　　　　　　　　　　　８０　直流安定電圧電源
９０　蓄電池
【図１】
0003099860.tif 000003
【図２】
0003099860.tif 000004